(57)【特許請求の範囲】
【請求項１】
曲のタイトルを示すタイトル映像を表示するためのタイトル映像データと、作詞者を示す作詞者映像を表示するための作詞者映像データと、作曲者を示す作曲者映像を表示するための作曲者映像データと、歌詞を示す歌詞映像を表示するための歌詞映像データとから構成される字幕映像データと、曲を演奏するための音楽データとを有する曲データを通信回線を介してホストコンピュータから受信する制御装置と、
前記制御装置により受信された前記音楽データを再生する再生装置と、
前記制御装置により受信された前記字幕映像データに基づいて前記タイトル映像、作詞者映像および作曲者映像を画面に表示するとともに、歌詞映像を歌詞のフレーズ単位で画面に表示するモニタとを備えたカラオケ装置において、
複数の第１コンピュータが接続されたインターネットにアクセスするための第２コンピュータが前記制御装置に接続されており、
前記モニタ画面上にはタッチパネルが配置されており、
前記歌詞映像データは、前記複数の第１コンピュータのうち、前記モニタの画面に表示されるｎフレーズ目の歌詞映像により表示される歌詞と関連する情報を表示するホームページを開設している第１コンピュータのアドレスデータを、前記ｎフレーズ目の歌詞映像を表示するための歌詞映像データに含むことができるように構成されており、
前記制御装置が、
前記ｎフレーズ目の歌詞映像を前記モニタの画面に表示する場合に、前記ｎフレーズ目の歌詞映像を表示するための歌詞映像データに前記アドレスデータが含まれるか否かを判定する第１判定処理と、
前記第１判定処理において肯定判定した場合に、前記モニタの画面に表示される前記ｎフレーズ目の歌詞映像の中で前記アドレスデータとリンクした映像の上にテロップを重ねて表示するとともに、前記第２コンピュータが前記インターネットを介して前記第１コンピュータのホームページにアクセスするためのスイッチを示す映像を前記タッチパネルに表示する第１表示処理と、
前記タッチパネルに表示された前記スイッチを示す映像に指が触れたか否かを判定する第２判定処理と、
前記第２判定処理において肯定判定した場合に、前記第２コンピュータに対して、前記ホームページを開設している第１コンピュータに前記インターネットを介してアクセスさせ、その第１コンピュータから、その第１コンピュータが開設しているホームページを表示するためのホームページデータを受信させ、その受信したホームページデータにより示されるホームページを前記モニタの画面に表示する第２表示処理と、を実行することにより、
曲の進行に合わせて歌詞映像を歌詞のフレーズ単位で前記モニタの画面に表示するとともに、ｎフレーズ目の歌詞映像の中で前記アドレスデータとリンクした映像の上にテロップを重ねて表示し、さらに前記スイッチを示す映像を前記タッチパネルに表示するように構成したことを特徴とするカラオケ装置。
【請求項２】
前記アドレスデータとリンクした映像の上に重ねて表示するテロップは、前記歌詞映像に重ねて表示するテロップとは異なる色、または、形態のテロップであることを特徴とする請求項１に記載のカラオケ装置。
【発明の詳細な説明】
【０００１】
【発明の属する技術分野】
この発明は、モニタにカラオケ用の背景映像および字幕映像を表示するカラオケ装置として好適なものに関する。
【０００２】
【従来の技術】
従来のカラオケ装置として、カラオケの曲データおよび歌詞データを電話回線を介して受信する受信装置と、カラオケの背景映像が記録された光ディスクを再生する光ディスク再生装置と、上記受信装置により受信された曲データおよびマイクから入力された音声を再生するアンプと、上記光ディスク再生装置により再生される背景映像および上記受信装置により受信された歌詞データを表示するモニタとが備えられた、いわゆる通信カラオケ装置が知られている。
【０００３】
【発明が解決しようとする課題】
ところで、カラオケのタイトル、作詞者、作曲者、歌詞などに関連する情報を知りたい場合がある。たとえば、タイトルや歌詞に「横浜」や「サンフランシスコ」などの語が含まれている場合に、それらの地名に関する情報を知りたい場合がある。
そこで、コンピュータ間を通信回線で接続し、そのネットワーク網を世界中に張り巡らせた、いわゆるインターネットを利用して上記情報を入出することが考えられる。
しかし、入手したい情報がモニタに表示される度に、コンピュータによりインターネットにアクセスするのは、非常に手間がかかる。しかも、入手したいと思っていた情報の提供先が、ホームページを開設しているか否かは、本などで調べなければならない。
つまり、上記従来のものでは、曲データに含まれる情報に関連する情報を知りたい場合であっても、容易に知ることができないという問題がある。
【０００４】
そこで、本発明は、上記問題を解決するためになされたものであり、曲データに含まれる情報に関連する情報を容易に知ることができるカラオケ装置の提供を目的とする。
【０００５】
【課題を解決するための手段】
【０００６】
本発明は、上記目的を達成するため、請求項１に記載の発明では、曲のタイトルを示すタイトル映像を表示するためのタイトル映像データと、作詞者を示す作詞者映像を表示するための作詞者映像データと、作曲者を示す作曲者映像を表示するための作曲者映像データと、歌詞を示す歌詞映像を表示するための歌詞映像データとから構成される字幕映像データと、曲を演奏するための音楽データとを有する曲データを通信回線を介してホストコンピュータから受信する制御装置と、前記制御装置により受信された前記音楽データを再生する再生装置と、前記制御装置により受信された前記字幕映像データに基づいて前記タイトル映像、作詞者映像および作曲者映像を画面に表示するとともに、歌詞映像を歌詞のフレーズ単位で画面に表示するモニタとを備えたカラオケ装置において、複数の第１コンピュータが接続されたインターネットにアクセスするための第２コンピュータが前記制御装置に接続されており、前記モニタ画面上にはタッチパネルが配置されており、前記歌詞映像データは、前記複数の第１コンピュータのうち、前記モニタの画面に表示されるｎフレーズ目の歌詞映像により表示される歌詞と関連する情報を表示するホームページを開設している第１コンピュータのアドレスデータを、前記ｎフレーズ目の歌詞映像を表示するための歌詞映像データに含むことができるように構成されており、前記制御装置が、前記ｎフレーズ目の歌詞映像を前記モニタの画面に表示する場合に、前記ｎフレーズ目の歌詞映像を表示するための歌詞映像データに前記アドレスデータが含まれるか否かを判定する第１判定処理と、前記第１判定処理において肯定判定した場合に、前記モニタの画面に表示される前記ｎフレーズ目の歌詞映像の中で前記アドレスデータとリンクした映像の上にテロップを重ねて表示するとともに、前記第２コンピュータが前記インターネットを介して前記第１コンピュータのホームページにアクセスするためのスイッチを示す映像を前記タッチパネルに表示する第１表示処理と、前記タッチパネルに表示された前記スイッチを示す映像に指が触れたか否かを判定する第２判定処理と、前記第２判定処理において肯定判定した場合に、前記第２コンピュータに対して、前記ホームページを開設している第１コンピュータに前記インターネットを介してアクセスさせ、その第１コンピュータから、その第１コンピュータが開設しているホームページを表示するためのホームページデータを受信させ、その受信したホームページデータにより示されるホームページを前記モニタの画面に表示する第２表示処理と、を実行することにより、曲の進行に合わせて歌詞映像を歌詞のフレーズ単位で前記モニタの画面に表示するとともに、ｎフレーズ目の歌詞映像の中で前記アドレスデータとリンクした映像の上にテロップを重ねて表示し、さらに前記スイッチを示す映像を前記タッチパネルに表示するように構成したという技術的手段を採用する。
【０００７】
【０００８】
請求項２に記載の発明では、請求項１に記載のカラオケ装置において、前記アドレスデータとリンクした映像の上に重ねて表示するテロップは、前記歌詞映像に重ねて表示するテロップとは異なる色、または、形態のテロップであるという技術的手段を用いる。
【０００９】
【００１０】
【００１１】
【００１２】
【００１３】
【作用】
【００１４】
請求項１に記載の発明は、上記技術的手段を採用するため、曲の進行に合わせてモニタの画面に表示されたｎフレーズ目の歌詞の中で所定の歌詞と関連する情報を知りたい場合に、モニタの画面上に配置されたタッチパネルに表示されたスイッチを示す映像に指で触れることにより、上記関連情報を表示するホームページを開設しているコンピュータにインターネットを介してアクセスし、そのコンピュータが開設しているホームページを表示するためのホームページデータを受信し、その受信したホームページデータにより示されるホームページをモニタの画面に表示することができる。
たとえば、後述する発明の実施の形態に記載するように、曲の進行に合わせてモニタの画面に表示された歌詞の中の「ホテル」に関する情報を知りたい場合に、「ホテル」に関する情報を表示するホームページを開設しているコンピュータにインターネットを介してアクセスをすることにより、「ホテル」に関する情報をモニタに表示して知ることができる。
また、アドレスデータとリンクした映像の上にテロップを重ねて表示するため、ｎフレーズ目の歌詞映像の中でどの映像がアドレスデータとリンクした映像であるかを容易に識別することができる。
【００１５】
さらに、請求項１に記載の発明は、曲データを通信回線を介してホストコンピュータから受信するため、上記通信回線をホームページデータを受信するための回線として共用できるため、ホームページデータ受信のための新たな回線を設置する必要がない。
【００１６】
【００１７】
特に、請求項２に記載の発明は、請求項１に記載の発明において、アドレスデータとリンクした映像の上に重ねて表示するテロップは、歌詞映像に重ねて表示するテロップとは異なる色、または、形態のテロップであるため、アドレスデータとリンクした映像を歌詞映像の中で容易に識別することができる。
【００１８】
【００１９】
【００２０】
【００２１】
【発明の実施の形態】
以下、本発明のカラオケ装置の一実施形態について図を参照して説明する。
なお、以下の実施形態では、カラオケ装置として、通信回線を利用して曲が提供される、いわゆる通信カラオケ装置を代表に説明する。
図１は、カラオケ店の各カラオケルームに設置されたコンピュータおよびカラオケ装置と、コンピュータ間が通信回線で接続された、いわゆるインターネットとの接続関係を示すブロック図、図２は、本発明実施形態のカラオケ装置の主要構成を示す外観説明図、図３（ａ）は、カラオケ装置に備えられた制御装置の前面パネルの説明図、同図（ｂ）は、制御装置の背面パネルの説明図、図４は、カラオケ装置に備えられた送信器の説明図、図５は、制御装置の制御系の構成を示すブロック図である。
【００２２】
図１に示すように、通信回線３により接続された複数のコンピュータ２，２・・・と、これら各コンピュータ２に接続されたサーバー４とからインターネットが構成されている。また、各カラオケルームに設置されたカラオケ装置１０には、コンピュータ６がそれぞれ接続されており、これら各コンピュータ６は、電話回線などの通信回線３１により、サーバー４と、曲データを送信するホストコンピュータ８４とに接続されている。
そして、各コンピュータ６は、サーバー４を介してコンピュータ２へアクセスし、コンピュータ２に開設されているホームページを開くことができ、その中から知りたい情報を選択して受信することができる。
【００２３】
次に、カラオケ装置の構成について図２を参照して説明する。
図２に示すように、カラオケ装置１０には、カラオケ用のタイトル映像、作詞者映像、作曲者映像、背景映像および歌詞を示す歌詞映像を表示するＣＲＴモニタ（以下、ＣＲＴと略称する）１２と、同じく歌い手のモニタ用のＣＲＴ１４とが備えられている。また、通信回線３１を介しての曲データの蓄積、選曲、曲の予約などの制御、マイク８１，８２から入力される音声とカラオケ曲とのミキシング、音声とカラオケ曲との音量バランス、エコー調整、ディレイ調整、音程の変更（キーチェンジ）などの音声制御、ならびに、ＣＲＴ１２，１４に表示される映像の切替え、合成、分割などの映像制御などの各種制御を行う制御装置２０が備えられている。
【００２４】
さらに、制御装置２０から出力される音声信号の増幅、高音、低音の制御（トーンコントロール）などを行うアンプ１６と、このアンプ１６から出力される音声信号を音として再生する１組のスピーカ８３，８３と、天井用の１組のスピーカ８０，８０と、制御装置２０を遠隔操作する送信器９０とが備えられている。
また、タイトル映像、作詞者映像、作曲者映像および歌詞映像の中に含まれる情報のうち、関連する情報を知りたい場合に、その関連情報をインターネットを用いて受信するためのコンピュータ６が備えられている。このコンピュータ６には、マウス６１が接続されている（図５）。
【００２５】
次に、制御装置２０の装備について図３を参照して説明する。
図３（ａ）に示すように、制御装置２０の前面パネルには、マイク８１，８２から入力される音声とカラオケ曲との音量のバランス調整を行うためのバランス調整つまみ２１と、エコーのかかり具合を調整するためのエコー調整つまみ２２と、ディレイのかかり具合を調整するためのディレイ調整つまみ２３とが設けられている。
【００２６】
さらに、送信器９０から送信される光信号を受光するための受光部２４と、選曲された曲の曲番号を表示する曲番号表示体２５と、変更されたキーの位置を表示するキー表示部２６と、マイク８１，８２のジャックを差し込むマイク端子２７，２８とが設けられている。
【００２７】
一方、図３（ｂ）に示すように、制御装置２０の背面パネルには、カラオケ用の音楽データおよび字幕映像データから構成される曲データを受信するための通信回線３１（図１、図５参照）を接続する通信回線接続端子３２が設けられており、その右方には、ＣＲＴ１２の映像入力端子（図示省略）と接続される映像出力端子３４と、ＣＲＴ１４の映像入力端子（図示省略）と接続される映像出力端子３５とが設けられている。また、背面パネルの左端には、アンプ１６の音声入力端子（図示省略）と接続される音声出力端子３６が設けられている。
また、図示しないが、コンピュータ６には、通信用モデムが内蔵されており、コンピュータ６の背面パネルには、関連情報を受信するための通信回線３１を上記通信用モデムに接続するための通信回線接続端子が設けられている。
【００２８】
次に、送信器９０の構成について図４を参照して説明する。
送信器９０の右上には、制御装置２０の電源をＯＮ、ＯＦＦする電源ボタン９１が設けられており、その下側には、選曲番号などを表示する液晶ディスプレイ９２が設けられている。この液晶ディスプレイ９２の下側には、スピーカ８３，８３、スピーカ８０，８０から出される音量を調整する音量調整ボタン９３が設けられており、その下側には、曲の演奏を開始させる演奏ボタン９４と、その演奏を停止させる停止ボタン９５が設けられている。それらボタンの下側には、選曲の開始、選曲の確定を行う選曲ボタン９６と、選曲の取消しを行う取消ボタン９７とが設けられている。
【００２９】
それらボタンの下側には、選曲する曲の番号を入力するＡ、Ｂ、および０〜９のテンキー９８と、キーチェンジを行うキーチェンジボタン９９と、エコーのかかり具合を調整するエコー調整ボタン１００とが設けられている。
このエコー調整ボタン１００の下側には、コンピュータ６をインターネットに接続するためのインターネット接続ボタン１０２が設けられており、このインターネット接続ボタン１０２の下側には、ＣＲＴ１２，１４に表示されたインターネットにアクセス可能な文字映像を選択するための選択ボタン１０３が設けられている。
なお、上記各ボタンを押すと、各ボタンそれぞれの機能に対応する光信号が発信窓１０４から発せられ、その光信号は、制御装置２０の受光部２４により受光される。
【００３０】
次に、上記制御装置２０の制御系の構成について図５を参照して説明する。
制御装置２０には、曲データに含まれるアドレスデータと同じアドレスデータを有するホームページを開設しているコンピュータ２にアクセスするようにコンピュータ６に指示したり、上記音声制御、映像制御、曲の演奏順序の予約および演奏順序の変更などをプログラムにしたがって行うＣＰＵ３７が備えられている。このＣＰＵ３７には、上記アドレスデータや予約された曲の番号および曲名データを一時保存するＲＡＭ３８と、この制御装置２０に接続された通信回線３１を利用するための電話番号や、送信器９０から送信されるコマンドに対応する制御コマンドなどが記憶されたＲＯＭ３９が接続されている。
【００３１】
また、ＣＰＵ３７には、インターネットにアクセスするための「インターネットアクセス」という内容のソフトスイッチ（タッチ式スイッチ）２０６（図９、図１１参照）をＣＲＴ１２，１４の各画面上に配置された各タッチパネルに表示するための映像データ、所定の文字映像がホームページのアドレスデータとリンクされたリンクデータであることを示すテロップとをＣＲＴ１２，１４に表示するための映像データなどが記憶されたビデオＲＡＭ４１と、コンピュータ２から送信されたホームページデータを格納するためのビデオＲＡＭ５１とが接続されている。
【００３２】
さらに、ＣＰＵ３７には、曲を提供するホストコンピュータ８４から通信回線３１および通信端子３２を介して受信され、通信用モデム４２によりデジタル信号に変換された曲データを蓄積するハードディスクメモり４３が接続されている。このハードディスクメモリ４３には、上記ソフトスイッチ２０６などの表示、上記各制御や後述する各回路やＬＤ（レーザーディスク）再生装置４０などの動作を制御する制御プログラムなどが記録されている。
【００３３】
また、ＣＰＵ３７には、ハードディスクメモリ４３に蓄積された曲データ中の音楽データたるＭＩＤＩデータを入力するとともに、そのＭＩＤＩデータに対応する音源データをＭＩＤＩ音源４４１から抽出し、その抽出された音源データをアンプ１６によって増幅可能なアナログの音楽信号に変換したり、マイク８１，８２から入力された音声信号にエコーやディレイをかけたりする音声制御回路４４が接続されている。
【００３４】
さらに、ＣＰＵ３７には、カラオケの背景映像データが記録されたＬＤを再生するＬＤ再生装置４０から出力される背景映像データと、ハードディスクメモリ４３に記憶された曲データ中の字幕映像データとを入力し、ＣＲＴ１２、１４に表示される映像として、背景映像中に字幕映像や曲番号および曲目の映像がスーパーインポーズされた映像を作成したり、それら各映像の切替え、合成および分割などの制御を行う映像制御回路４５が接続されている。また、この映像制御回路４５は、ビデオＲＡＭ４１に記憶されている映像データや、ビデオＲＡＭ５１に格納されているホームページデータをＣＲＴ１２，１４に表示するための映像信号を作成する。
【００３５】
また、ＣＰＵ３７には、受光部２４により受光された光信号をデジタルデータに変換する受光回路４６と、曲番号表示体２５に曲番号を表示するための表示信号と、キー表示体２６にキーの位置を表示するための表示信号とを作成する表示回路４７が接続されている。また、ＣＰＵ３７には、つまみ２１ないし２３の調整により変化した信号の入力を行う入力回路４８が接続されている。
【００３６】
次に、カラオケ装置１０によりカラオケを行っているときに、インターネットにアクセスしてホームページデータを受信し、ＣＲＴ１２，１４に表示するためのＣＰＵ３７の制御内容について、図７ないし図１２を参照して説明する。
図７および図８は、ＣＰＵ３７の制御内容を示すフローチャートであり、図９ないし図１２は、ＣＲＴ１２の表示内容を示す説明図である。
なお、ホストコンピュータ８４から送信される曲データは、図６に示すように、ＭＩＤＩデータＤ１、タイトル映像、作詞者映像、作曲者映像および歌詞映像を含む字幕映像データＤ２、歌詞映像の色変わりのタイミングを示す色変わりタイミングデータＤ３、バックコーラスデータＤ４およびアドレスデータＤ５から構成される。アドレスデータＤ５は、コンピュータ２のホームページのアドレスデータと同じデータである。
【００３７】
最初に、タイトル映像、作詞者映像および作曲者映像に含まれている情報に関連する情報をインターネットにアクセスして読出し、ＣＲＴ１２，１４に表示する場合のＣＰＵ３７の制御内容について図７を参照して説明する。
なお、ここでは曲のタイトル中の「よこはま」という地名に関連する関連情報を表示するものとする。
まず、利用者が、送信器９０を制御装置２０に向けて、電源ボタン９１を押すと、制御装置２０の電源が投入され、これに連動してＬＤ再生装置４０、ＣＲＴ１２、１４、アンプ１６およびコンピュータ６が起動する。そして、送信器９０の選曲ボタン９６を押すと、選曲可能状態になり、次にテンキー９８を押して歌いたい曲の曲番号を入力する。このとき、テンキーを押す毎に、その押したキーのＡ、Ｂおよび０〜９の符号が、ＣＲＴ１２、１４上と、制御装置２０の曲番号表示体２５とに表示され、曲番号の確認をできるようになっている。
なお、選曲中であることは、ＣＲＴに表示された符号が点滅表示されることにより確認できるようになっている。
【００３８】
そして、曲番号の入力が終了し、演奏ボタン９４を押すと入力した曲番号が確定されるとともに、ＣＲＴ上の曲番号表示が点滅を中止した後に消え、ＣＰＵ３７は、その曲番号に対応する曲データの送信要求を、通信用モデム４２、通信端子３２および通信回線３１を介してホストコンピュータ８４に対して行う。すると、ホストコンピュータ８４は、ＲＯＭ３９に記憶されている電話番号を読み出して、その電話番号が契約された正規のものであるかを確認する作業を行い、その確認後に上記要求された曲データが、ホストコンピュータ８４から通信回線３１を介して受信され（ステップ１００）、受信された曲データは、ハードディスクメモリ４３に蓄積され、字幕映像データに含まれるタイトル映像データ、作詞者映像データ、作曲者映像データおよび歌詞映像データは、ビデオＲＡＭ４１に書き込まれる（ステップ１１０）。
【００３９】
続いて、曲データの中にアドレスデータＤ５が存在するか否か、つまり、インターネットにアクセスできる情報が含まれているか否かが判定され（ステップ１２０）、アドレスデータＤ５が存在する場合には、そのアドレスデータＤ５をＲＡＭ３８に格納する（ステップ１３０）。続いて、ＲＡＭ３８に格納された字幕映像データ中のリンクデータが、ＣＲＴ１２，１４に表示されたときにリンクデータであることを識別できるように、歌詞映像に重ねて表示するテロップとは異なる色、または、形態のテロップをビデオＲＡＭ４１に書き込む（ステップ１４０）。
【００４０】
続いて、ビデオＲＡＭ４１からタイトル映像データ、作詞者映像データおよび作曲者映像データを読み出してＣＲＴ１２，１４に表示するとともに、インターネットアクセス用のソフトスイッチ映像データをＣＲＴ１２，１４の画面上に配置された各タッチパネルに表示する（ステップ１５０）。この表示は、図９に示すように、曲のタイトル映像２００と、作詞者映像２０２と、作曲者映像２０４と、インターネットアクセス用のソフトスイッチ２０６とからなっており、タイトル映像２００の中の「よこはま」の部分にリンクデータを示すテロップ（網目模様の部分）が表示されている。
つまり、「よこはま」に関連する関連情報をインターネットを用いてＣＲＴ１２，１４に表示できることを示している。
【００４１】
続いて、ハードディスクメモリ４３からＭＩＤＩデータＤ１の読出しが行われ、そのＭＩＤＩデータＤ１は、音声制御回路４４に入力されるとともに、そのＭＩＤＩデータＤ１に対応する音源データに書き込まれる（ステップ１６０）。この書込みにより、ＭＩＤＩ音源４４１から出力された音源データは、アンプ１６によって増幅可能なアナログの音楽信号に変換される。この音楽信号は、アンプ１６へ出力され、増幅された後にスピーカ８３，８３、スピーカ８０，８０へ出力され、両スピーカによって再生される。
つまり、カラオケの前奏部分の演奏が開始される。
【００４２】
続いて、ＣＲＴ１２，１４の各タッチパネルに表示されたソフトスイッチ２０６が指でタッチされたか否かが判定され（ステップ１７０）、タッチされている場合には、ＲＡＭ３８に記憶されているアドレスデータＤ５を読み出して入出力インターフェース８７を介してコンピュータ６へ転送し、コンピュータ６がサーバー４に接続する（ステップ１８０）。続いて、サーバー４を介して上記読出されたアドレスデータＤ５と同じアドレスデータを有するホームページを開設しているコンピュータ２にアクセスを行い、そのコンピュータ２が開設しているホームページを示すホームページデータを受信してビデオＲＡＭ５１に格納する（ステップ１９０）。
【００４３】
続いて、ホームページデータの格納が検出されると、音声制御回路４４および映像制御回路４５に再生停止信号が出力され、音楽信号の再生およびタイトル映像、作詞者映像および作曲者映像の表示が停止される（ステップ２００）。続いて、ビデオＲＡＭ５１からホームページデータが読み出され、図１０に示すように、そのホームページ２２０がＣＲＴ１２，１４に表示される（ステップ２１０）。
一方、ソフトスイッチ２０６がタッチされていない場合には（ステップ１７０）、第１フレーズの歌詞映像を表示するタイミングか否かが判定され（ステップ２２０）、そのタイミングである場合には、第１フレーズの歌詞映像がＣＲＴ１２，１４に表示される（ステップ２３０）。
【００４４】
また、曲データには、曲のジャンルを特定するジャンルデータが含まれており、このジャンルデータに対応する背景映像データが、ＬＤ再生装置４０により再生され、この再生された背景映像データは、映像制御回路４５により、上記第１フレーズの歌詞映像と合成される。この合成は、たとえば、背景映像に歌詞映像をスーパーインポーズしてＣＲＴ１２、１４に表示する形で行われる。
一方、マイク８１、または、マイク８２から入力された音声は、音声信号となって音声制御回路４４に入力され、上記音楽信号とミキシングされる。このミキシングされたミキシング信号は、アンプ１６へ出力され、増幅された後にスピーカ８３，８３、スピーカ８０，８０へ出力され、両スピーカによって音楽信号および音声信号が再生される。
つまり、利用者は、自分の選んだ曲をＣＲＴ１２、１４の画面に映し出された背景映像および歌詞映像を見ながらマイク８１、または、マイク８２を通して歌う（カラオケする）ことができる。
【００４５】
このように、本実施形態のカラオケ装置によれば、曲のタイトルの中に含まれている地名などに関する詳しい情報を知りたい場合に、ＣＲＴ上のタッチパネルに表示されたインターネットアクセス用のソフトスイッチをタッチするだけの簡単な操作により、上記詳しい情報をＣＲＴに表示して容易に知ることができる。
【００４６】
なお、作詞者、または、作曲者に関連する関連情報を保有するコンピュータ２が存在し、そのホームページが開設されている場合には、図９に示すように、作詞者を示す作詞者映像２０２と、作曲者を示す作曲者映像２０４とにリンクデータを貼っておき、上記ホームページのアドレスデータと同じアドレスデータを作詞者映像データまたは作曲者映像データに含ませておくことにより、上記「よこはま」に関する情報を受信して表示した場合と同じように、作詞者、または、作曲者に関する詳しい情報をインターネットにアクセスしてＣＲＴ１２，１４に表示することができる。
また、リンクデータが貼られたものが複数ある場合には、送信器９０の選択ボタン１０３、または、マウス６１を用いて所望のリンクデータを選択することにより、インターネットにアクセスして関連情報を知ることができる。
【００４７】
次に、曲の歌詞の中に、関連情報を提供する用意のある情報が含まれている場合のＣＰＵ３７の制御について図８を参照して説明する。
なお、ここでは曲の中の第ｎフレーズにアドレスデータＤ５が存在し、その第ｎフレーズ中の「ホテル」という語にリンクデータが貼られているとする。
まず、第ｎフレーズにアドレスデータＤ５が存在する場合には（ステップ３００）、そのアドレスデータＤ５をＲＡＭ３８に格納する（ステップ３１０）。続いて、ＲＡＭ３８に格納された第ｎフレーズにリンクデータが存在していることを示すテロップなどのリンクデータ用映像データをビデオＲＡＭ４１に書き込む（ステップ３２０）。
【００４８】
続いて、第ｎフレーズの歌詞を示す歌詞映像をＣＲＴ１２，１４に表示するとともに、ソフトスイッチ２０６をＣＲＴ１２，１４の各タッチパネルに表示し（ステップ３３０）、第ｎフレーズのＭＩＤＩデータをＭＩＤＩ音源４４１に書き込んで第ｎフレーズの演奏を開始する（ステップ３４０）。ＣＲＴ１２，１４への表示は、図１１に示すように、背景映像２０８の中に歌詞映像２１０がスーパーインポーズされており、歌詞映像２１０の中の「ホテル」という語にリンクデータ２１２が貼られているように行われる。
【００４９】
続いて、ソフトスイッチ２０６がタッチされた場合には（ステップ３５０）、サーバー４に接続し（ステップ３６０）、「ホテル」に関する情報を所有するコンピュータ２のホームページを示すホームページデータを受信して格納し（ステップ３７０）、そのホームページデータをＣＲＴ１２，１４に表示する（ステップ３８０）。
この表示は、図１２に示すように、ＣＲＴ１２の画面を上下に２分割し、その上半分に受信したホームページデータ２２０を表示し、下半分にカラオケの歌詞映像２１０を表示する形で行われる。この場合、ホームページデータ２２０の中の複数の検索項目の中の「ホテル」をマウス６１により選択してクリックすることにより、横浜市内にあるホテルに関する情報を上記ホームページを開設しているコンピュータ２から読み出してＣＲＴ１２，１４に表示することができる。
【００５０】
一方、ソフトスイッチ２０６がタッチされていない場合には、フレーズが何番面のフレーズであるかを示す「ｎ」に「１」をインクリメントし（ステップ３９０）、最終フレーズでない場合には（ステップ４００）、ステップ３００へ戻り、上記ステップ３００ないしステップ３５０を実行する。
このように、図８に示す制御によれば、関連情報を提供する用意のある情報が歌詞の中に含まれている場合にも、その関連情報を容易に知ることができる。
【００５１】
なお、上記各実施形態では、インターネットへのアクセスをソフトスイッチ２０６をタッチすることにより行ったが、送信器９０のインターネットアクセスボタン１０２を押すことにより行うこともできる。また、上記各実施形態では、カラオケ装置として通信カラオケ装置を代表に説明したが、通信回線により曲データを受信しないタイプ、つまり曲データおよび背景映像データが記録された光ディスクなどを再生してカラオケを行う装置であっても、上記インターネットに接続されたコンピュータ６を接続することにより、上記関連情報をＣＲＴに表示することができる。
【００５２】
ところで、コンピュータ２が請求項１に記載の第１コンピュータに対応し、コンピュータ６が第２コンピュータに対応する。
また、ＣＰＵ３７により実行されるステップ３００が請求項１に記載の第１判定処理として、ステップ３３０が第１表示処理として、ステップ３５０が第２判定処理として、ステップ３８０が第２表示処理としてそれぞれ機能する。
【００５３】
【発明の効果】
【００５４】
以上のように、請求項１に記載の発明によれば、曲の進行に合わせてモニタの画面に表示されたｎフレーズ目の歌詞の中で所定の歌詞と関連する情報を知りたい場合に、モニタの画面上に表示されたスイッチを示す映像に指で触れることにより、上記関連情報を表示するホームページを開設しているコンピュータにインターネットを介してアクセスし、そのコンピュータが開設しているホームページを表示するためのホームページデータを受信し、その受信したホームページデータにより示されるホームページをモニタの画面に表示することができる。
また、アドレスデータとリンクした映像の上にテロップを重ねて表示するため、ｎフレーズ目の歌詞映像の中でどの映像がアドレスデータとリンクした映像であるかを容易に識別することができる。
【００５５】
さらに、請求項１に記載の発明は、曲データを通信回線を介してホストコンピュータから受信するため、上記通信回線をホームページデータを受信するための回線として共用できるため、ホームページデータ受信のための新たな回線を設置する必要がない。
【００５６】
【００５７】
特に、請求項２に記載の発明は、請求項１に記載の発明において、アドレスデータとリンクした映像の上に重ねて表示するテロップは、歌詞映像に重ねて表示するテロップとは異なる色、または、形態のテロップであるため、アドレスデータとリンクした映像を歌詞映像の中で容易に識別することができる。
【図面の簡単な説明】
【図１】  カラオケ店の各カラオケルームに設置されたコンピュータおよびカラオケ装置と、コンピュータ間が通信回線で接続された、いわゆるインターネットとの接続関係を示すブロック図である。
【図２】  本発明実施形態のカラオケ装置の外観説明図である。
【図３】  （ａ）は、カラオケ装置に備えられた制御装置の前面パネルの説明図であり、（ｂ）は、制御装置の背面パネルの説明図である。
【図４】  カラオケ装置に備えられた送信器の説明図である。
【図５】  制御装置の制御系の構成を示すブロック図である。
【図６】  曲データの構成を示す説明図である。
【図７】  ＣＰＵ３７の制御内容を示すフローチャートである。
【図８】  ＣＰＵ３７の制御内容を示すフローチャートである。
【図９】  ＣＲＴ１２に表示されたタイトル映像、作詞者映像および作曲者映像の説明図である。
【図１０】  ＣＲＴ１２に表示されたホームページの説明図である。
【図１１】  ＣＲＴ１２に表示された背景映像および歌詞映像の説明図である。
【図１２】  ＣＲＴ１２に表示されたホームページおよび歌詞映像の説明図である。
【符号の説明】
２、６        コンピュータ
４            サーバー
１０          カラオケ装置
１２、１４    ＣＲＴ
１６          アンプ
２０          制御装置
３１          通信回線
３７          ＣＰＵ
４０          ＬＤ再生装置
４１、５１    ビデオＲＡＭ
４３          ハードディスクメモリ
４４          音声制御回路
４５          映像制御回路
６１          マウス
８１、８２    マイク
８４          ホストコンピュータ
９０          送信器
【図１】
0003908808.tif 000002
【図２】
0003908808.tif 000003
【図３】
0003908808.tif 000004
【図４】
0003908808.tif 000005
【図５】
0003908808.tif 000006
【図６】
0003908808.tif 000007
【図７】
0003908808.tif 000008
【図８】
0003908808.tif 000009
【図９】
0003908808.tif 000010
【図１０】
0003908808.tif 000011
【図１１】
0003908808.tif 000012
【図１２】
0003908808.tif 000013